(57)【要約】【課題】撮影操作による手振れを抑制しつつ、連写機能を実現する。【解決手段】本発明の撮影装置は、撮影を行い、撮影画像の画像データを出力する第１のカメラ部と、前記第１のカメラ部を被写体に向けた状態で撮影者に向けられるように配置され、撮影を行い、撮影画像の画像データを出力する第２のカメラ部と、記憶部と、撮影を行う旨が入力されると、前記第１および第２のカメラ部を起動し、前記第２のカメラ部から出力された画像データに示される画像において所定の条件が満たされるか否かを判定し、前記所定の条件が満たされている間、所定の時間間隔で前記第１のカメラ部から出力される画像データを順次、前記記憶部に記憶させる制御部と、を有する。【選択図】図１
2013110561.tif 000002
【特許請求の範囲】
【請求項１】
撮影を行い、撮影画像の画像データを出力する第１のカメラ部と、
前記第１のカメラ部を被写体に向けた状態で撮影者に向けられるように配置され、撮影を行い、撮影画像の画像データを出力する第２のカメラ部と、
記憶部と、
撮影を行う旨が入力されると、前記第１および第２のカメラ部を起動し、前記第２のカメラ部から出力された画像データに示される画像において所定の条件が満たされるか否かを判定し、前記所定の条件が満たされている間、所定の時間間隔で前記第１のカメラ部から出力される画像データを順次、前記記憶部に記憶させる制御部と、を有することを特徴とする撮影装置。
【請求項２】
請求項１記載の撮影装置において、
前記制御部は、前記第２のカメラ部から出力された画像データに示される画像における前記撮影者の表情に基づき、前記所定の条件を満たされるか否かを判定することを特徴とする撮影装置。
【請求項３】
請求項１または２記載の撮影装置において、
前記撮影者への通知を行う通知部をさらに有し、
前記制御部は、前記所定の条件が満たされると判定した場合、前記通知部に通知を行わせることを特徴とする撮影装置。
【請求項４】
撮影を行い、撮影画像の画像データを出力する第１のカメラ部と、前記第１のカメラ部を被写体に向けた状態で撮影者に向けられるように配置され、撮影を行い、撮影画像の画像データを出力する第２のカメラ部と、を有する撮影装置の制御方法であって、
撮影を行う旨が入力されると、前記第１および第２のカメラ部を起動し、
前記第２のカメラ部から出力された画像データに示される画像において所定の条件が満たされるか否かを判定し、前記所定の条件が満たされている間、所定の時間間隔で前記第１のカメラ部から出力される画像データを順次、記憶することを特徴とする撮影装置の制御方法。
【請求項５】
請求項４記載の撮影装置の制御方法において、
前記第２のカメラ部から出力された画像データに示される画像における前記撮影者の表情に基づき、前記所定の条件を満たされるか否かを判定することを特徴とする撮影装置の制御方法。
【請求項６】
請求項４または５記載の撮影装置の制御方法において、
前記所定の条件が満たされると判定した場合、前記撮影者に通知を行うことを特徴とする撮影装置の制御方法。
【発明の詳細な説明】
【技術分野】
【０００１】
本発明は、撮影装置およびその制御方法に関する。
【背景技術】
【０００２】
デジタルカメラ、カメラ付き携帯端末などの撮影装置においては、通常、撮影ボタンを押下する撮影操作が行われると、カメラの撮影画像の画像データが記憶部に記憶される。
【０００３】
撮影装置の小型化に伴い、撮影ボタンも小さく押しにくくなり、撮影ボタンを押下する際に手振れが生じ、撮影画像に像ぶれが生じることがある。なお、撮影装置としては、タッチパネルを有し、タッチパネルへのタッチを撮影操作として、カメラの撮影画像の画像データを記憶する撮影装置などもある。このような撮影装置においても、タッチパネルへのタッチ操作により手振れが生じ、撮影画像に像ぶれが生じることがある。
【０００４】
そこで、特許文献１（特開２０１０−１４８０５２号公報）には、アウトカメラ、および、アウトカメラを被写体に向けた状態で撮影者に向けられるように配置されたインカメラを有する撮影装置において、撮影時にはアウトカメラおよびインカメラを駆動し、インカメラの撮影画像に含まれる撮影者の表情が笑顔になったことを検出した時点で、その時点のアウトカメラの撮影画像の画像データを記憶する技術が開示されている。この技術によれば、撮影者の表情が笑顔になった時点でアウトカメラの撮影画像の画像データが記憶されるので、撮影ボタンの押下やタッチパネルへのタッチが不要となり、撮影操作時の手振れを抑制することができる。
【先行技術文献】
【特許文献】
【０００５】
【特許文献１】特開２０１０−１４８０５２号公報
【発明の概要】
【発明が解決しようとする課題】
【０００６】
撮影装置の中には、カメラの撮影画像の画像データを所定の時間間隔で順次、記憶する連写機能を有するものがある。特許文献１に開示の技術においては、撮影者の笑顔を検出した時点で、その時点におけるアウトカメラの撮影画像の画像データが記憶され、１回の撮影処理が終了するので、連写機能を実現できないという課題がある。
【０００７】
本発明の目的は、撮影操作による手振れを抑制しつつ、連写機能を実現できる撮影装置およびその制御方法を提供することにある。
【課題を解決するための手段】
【０００８】
上記目的を達成するために本発明の撮影装置は、
撮影を行い、撮影画像の画像データを出力する第１のカメラ部と、
前記第１のカメラ部を被写体に向けた状態で撮影者に向けられるように配置され、撮影を行い、撮影画像の画像データを出力する第２のカメラ部と、
記憶部と、
撮影を行う旨が入力されると、前記第１および第２のカメラ部を起動し、前記第２のカメラ部から出力された画像データに示される画像において所定の条件が満たされるか否かを判定し、前記所定の条件が満たされている間、所定の時間間隔で前記第１のカメラ部から出力される画像データを順次、前記記憶部に記憶させる制御部と、を有する。
【０００９】
上記目的を達成するために本発明の撮影装置の制御方法は、
撮影を行い、撮影画像の画像データを出力する第１のカメラ部と、前記第１のカメラ部を被写体に向けた状態で撮影者に向けられるように配置され、撮影を行い、撮影画像の画像データを出力する第２のカメラ部と、を有する撮影装置の制御方法であって、
撮影を行う旨が入力されると、前記第１および第２のカメラ部を起動し、
前記第２のカメラ部から出力された画像データに示される画像において所定の条件が満たされるか否かを判定し、前記所定の条件が満たされている間、所定の時間間隔で前記第１のカメラ部から出力される画像データを順次、記憶する。
【発明の効果】
【００１０】
本発明によれば、撮影操作による手振れを抑制しつつ、連写機能を実現できる。
【図面の簡単な説明】
【００１１】
【図１】本発明の一実施形態の撮影装置の構成を示すブロック図である。
【図２】図１に示す撮影装置の外観の一例を示す図である。
【図３】図１に示す撮影装置の外観の他の一例を示す図である。
【図４】図１に示す撮影装置の動作を示すフローチャートである。
【発明を実施するための形態】
【００１２】
以下に、本発明を実施するための形態について図面を参照して説明する。
【００１３】
図１は、本発明の一実施形態の撮影装置１００の構成を示すブロック図である。本実施形態においては、撮影装置１００は、カメラ付きの携帯電話あるいはスマートフォンである場合を例として説明するが、デジタルカメラ、携帯型ゲーム機などであってもよい。
【００１４】
撮影装置１００は、アンテナ１０１と、無線部１０２と、表示部１０３と、タッチパネル部１０４と、操作部１０５と、ＬＥＤ（Light Emitting Diode）部１０６と、レシーバー１０７と、マイク１０８と、音声処理部１０９と、アウトカメラ部１１０と、インカメラ部１１１と、制御部１１２と、を有する。また、制御部１１２は、ＣＰＵ（Central Processing Unit）１１３と、メモリ１１４と、スマイル検出部１１５と、を有する。アウトカメラ部１１０は第１のカメラ部の一例であり、インカメラ部１１１は第２のカメラ部の一例であり、メモリ１１４は記憶部の一例であり、ＬＥＤ部１０６は通知部の一例である。
【００１５】
無線部１０２は、アンテナ１０１を介して受信した信号を復調して受信データを取得し、制御部１１２に出力する。また、無線部１０２は、制御部１１２から出力されたデータを変調して変調信号を生成し、アンテナ１０１を介して送信する。
【００１６】
表示部１０３は、制御部１１２の制御に従い、種々の映像を表示する。表示部１０３の具体例としては、ＬＣＤ（Liquid Crystal Display）、有機ＥＬディスプレイ（Organic Electroluminescence Display）などがある。
【００１７】
タッチパネル部１０４は、表示部１０３の表示面に重ね合わせて配置され、指、スタイラスペンなどの接触を検出すると、接触位置に応じた信号を制御部１１２に出力する。
【００１８】
操作部１０５は、操作入力を受け付け、入力された操作内容に応じた信号を制御部１１２に出力する。操作部１０５の具体例としては、押しボタンなどがある。
【００１９】
ＬＥＤ部１０６は、制御部１１２の制御に従って、光を出力する。
【００２０】
レシーバー１０７は、音声処理部１０９から入力された音データに示される音を出力する。
【００２１】
マイク１０８は、周囲の音を周音し、周音した音を示す音データを音声処理部１０９に出力する。
【００２２】
音声処理部１０９は、制御部１１２の制御に従い、音データをレシーバー１０７に出力し、また、マイク１０８から出力された音データを制御部１１２に出力する。
【００２３】
アウトカメラ部１１０は、制御部１１２の制御に従って撮影を行い、撮影画像の画像データを制御部１１２に出力する。アウトカメラ部１１０は、撮影者以外の人物や風景などの撮影に主に用いられる。なお、以下では、アウトカメラ部１１０の撮影画像をアウトカメラ画像と称する。
【００２４】
インカメラ部１１１は、アウトカメラ部１１０が被写体に向けられた状態で撮影者側を向くように配置され、制御部１１２の制御に従って撮影を行い、撮影画像の画像データを制御部１１２に出力する。インカメラ部１１１は、撮影者の撮影に主に用いられる。なお、以下では、インカメラ部１１１の撮影画像をインカメラ画像と称する。
【００２５】
ＣＰＵ１１３は、タッチパネル部１０４、操作部１０５などから出力される信号などに応じて、無線部１０２、表示部１０３、ＬＥＤ部１０６、音声処理部１０９、アウトカメラ部１１０、インカメラ部１１１などの動作を制御する。
【００２６】
メモリ１１４は、撮影装置１００の動作を制御するためのプログラム、電話帳データやメールデータ、アウトカメラ画像の画像データなど、種々のデータを記憶する。
【００２７】
スマイル検出部１０８は、インカメラ画像において所定の条件が満たされているか否かを判定し、判定結果をＣＰＵ１１３に出力する。なお、上述したように、アウトカメラ部１１０が被写体に向けられた場合には、インカメラ部１１１は、撮影者を向いている。そこで、本実施形態においては、スマイル検出部１０８は、インカメラ画像において、撮影者の表情が笑顔であれば、所定の条件が満たされていると判定するものとする。
【００２８】
図２は、撮影装置１００の外観の一例を示す図である。図２（ａ）は、撮影装置１００の表面を示す図である。図２（ｂ）は、撮影装置１００の裏面を示す図である。
【００２９】
図２に示す撮影装置１００は、上部筐体２０１と下部筐体２０２とを有し、上部筐体２０１と下部筐体２０２とが図２においては不図示のヒンジなどにより、開閉自在に連結された、いわゆる、折りたたみ式の端末装置である。
【００３０】
図２（ａ）および図２（ｂ）に示すように、撮影装置１００の表面には、上部筐体２０１に表示部１０３と、タッチパネル部１０４と、ＬＥＤ部１０６と、インカメラ部１１１と、が配置されており、下部筐体２０２に操作部１０５が配置されている。また、撮影装置１００の裏面には、上部筐体２０１にアウトカメラ部１１０が配置されている。
【００３１】
図３は、撮影装置１００の外観の他の一例を示す図である。図３（ａ）は、撮影装置１００の表面を示す図である。図３（ｂ）は、撮影装置１００の裏面を示す図である。
【００３２】
図３に示す撮影装置１００は、筐体３０１を有する、いわゆる、ストレート型の端末装置である。
【００３３】
図３（ａ）および図３（ｂ）に示すように、撮影装置１００の表面には、表示部１０３と、タッチパネル部１０４と、操作部１０５と、ＬＥＤ部１０６と、インカメラ部１１１と、が配置され、裏面には、アウトカメラ部１１０が配置されている。
【００３４】
図２および図３に示す撮影装置１００のアウトカメラ部１１０を用いて撮影を行う場合には、撮影者は、撮影装置１００の裏面を被写体側に向ける。したがって、アウトカメラ部１１０は被写体側を向き、インカメラ部１１１は撮影者側を向く。
【００３５】
次に、本実施形態の撮影装置１００の撮影時の動作について説明する。
【００３６】
タッチパネル部１０４あるいは操作部１０５などを介して、カメラアプリケーションを起動し、撮影を行う旨の操作が入力されると、ＣＰＵ１１３は、カメラアプリケーションの起動を各部に通知する（ステップＳ４０１）。
【００３７】
次に、ＣＰＵ１１３は、アウトカメラ部１１０およびインカメラ部１１１を起動させる（ステップＳ４０２）。
【００３８】
アウトカメラ部１１０は、撮影を行い、プレビューサイズのアウトカメラ画像の画像データを制御部１１２に出力する。なお、アウトカメラ部１１０は、所定時間ごとに撮影を行い、アウトカメラ画像の画像データを順次、出力する。ＣＰＵ１１３は、アウトカメラ部１１０から入力された画像データを表示部１０３に出力する。表示部１０３は、入力された画像データに示されるアウトカメラ画像をプレビュー表示する。
【００３９】
インカメラ部１１１は、撮影を行い、インカメラ画像の画像データを制御部１１２に出力する。なお、インカメラ部１１０は、所定時間ごとに撮影を行い、インカメラ画像の画像データを順次、出力する。ＣＰＵ１１３は、インカメラ部１１１から入力された画像データをスマイル検出部１１５に出力する。
【００４０】
スマイル検出部１１５は、入力された画像データに示されるインカメラ画像を解析し（ステップＳ４０３）、インカメラ画像に笑顔（スマイル）が含まれるか否かを判定する。ここで、スマイル検出部１１５は、インカメラ部１１１が所定時間ごとに順次撮影したインカメラ画像を継続して解析する。なお、撮影画像に含まれる人の笑顔の検出方法は当業者にとってよく知られているため、詳細な説明を省略する。
【００４１】
スマイル検出部１１５は、インカメラ画像内に笑顔が含まれている場合には、インカメラ画像内に笑顔を検出したことを示すステータスフラグをオンにし、インカメラ画像内に笑顔が含まれていない場合には、ステータスフラグをオフにする。
【００４２】
ＣＰＵ１１３は、ステータスフラグに基づき、インカメラ画像に笑顔が検出されたか否かを判定する（ステップＳ４０４）。
【００４３】
ステータスフラグがオフであり、インカメラ画像に笑顔が検出されなかった場合には（ステップＳ４０４：Ｎｏ）、ＣＰＵ１１３は、ステップＳ４０３の処理に戻る。
【００４４】
ステータスフラグがオンであり、インカメラ画像に笑顔が検出された場合には（ステップＳ４０４：Ｙｅｓ）、ＣＰＵ１１３は、インカメラ画像内に笑顔が検出されたことを撮影者に通知するために、ＬＥＤ部１１４を点灯させる。また、ＣＰＵ１１３は、タイマをスタートする（ステップＳ４０５）。
【００４５】
次に、ＣＰＵ１１３は、アウトカメラ部１１０に撮影処理の開始を通知する。その通知を受けて、アウトカメラ部１１０は、撮影画像の画像サイズをプレビューサイズから撮影サイズに切り替えて撮影を行い、アウトカメラ画像の画像データを制御部１１２に出力する（ステップＳ４０６）。
【００４６】
ＣＰＵ１１３は、アウトカメラ部１１０から入力された画像データをメモリ１１４に記憶させる（ステップ４０７）。
【００４７】
次に、ＣＰＵ１１３は、タイマが所定時間を経過した時点で、ステータスフラグがオンである状態が継続しているか否か、すなわち、インカメラ画像内に笑顔が含まれる状態（以下、スマイル状態と称する）が継続しているか否かを判定する（ステップＳ４０８）。
【００４８】
スマイル状態が継続している場合には（ステップＳ４０８：Ｙｅｓ）、ＣＰＵ１１３は、タイマを再スタートさせ、ステップＳ４０７の処理に進む。すなわち、スマイル状態が継続していると判定した時点のアウトカメラ画像の画像データをメモリ１１４に記憶させる。したがって、スマイル状態が継続している間、メモリ１１４には、所定の時間間隔で撮影されたアウトカメラ画像の画像データが順次、記憶される。
【００４９】
上述したように、スマイル状態が継続している間、メモリ１１４には、所定の時間間隔で撮影されたアウトカメラ画像の画像データが順次、記憶されるので、スマイル状態の継続時間に応じて、連写機能によりメモリ１１４に記憶されるアウトカメラ画像の数が決まる。通常、撮影装置においては、連写撮影を行うには、撮影装置の動作モードの通常撮影モードから連写撮影モードへの切り替えなどが必要となる。しかし、本実施形態の撮影装置１００によれば、スマイル状態の継続時間、すなわち、撮影者が笑顔である時間を短くすれば、アウトカメラ画像を１枚だけメモリ１１４に記憶させることも可能となる。したがって、本実施形態の撮影装置によれば、動作モードの切り替えなどを行うことなしに、連写撮影も通常撮影も行うことができる。
【００５０】
スマイル状態が継続していない場合には（ステップＳ４０８：Ｎｏ）、ＣＰＵ１１３は、プレビュー処理の開始をアウトカメラ部１１０に通知する。その通知を受けて、アウトカメラ部１１０は、撮影画像の画像サイズを撮影サイズからプレビューサイズに切り替えて撮影を行い、アウトカメラ画像の画像データを制御部１１２に出力する（ステップＳ４１０）。また、ＣＰＵ１１３は、インカメラ画像内に笑顔が検出されなくなったことを撮影者に通知するために、ＬＥＤ部１１４を消灯させる。
【００５１】
なお、インカメラ画像の監視中などに、タッチパネル部１０４あるいは操作部１０５などを介して、カメラアプリケーションを終了する旨の操作が入力されると、ＣＰＵ１１３は、アウトカメラ部１１０およびインカメラ部１１１を停止させる。また、ＣＰＵ１１３は、表示部１０３の表示を待ち受け画面などに切り替える。
【００５２】
このように本実施形態によれば、撮影装置１００は、インカメラ画像において所定の条件が満たされているか否かを判定し、所定の条件が満たされている間、所定の時間間隔でアウトカメラ画像の画像データを順次、メモリ１１４に記憶する。
【００５３】
そのため、インカメラ画像において笑顔が検出されるなど、所定の条件が満たされることでアウトカメラ部１１０により撮影処理が行われるので、撮影操作による手振れを抑制することができる。また、所定の条件が満たされている間、所定の時間間隔でアウトカメラ画像の画像データが順次、記憶されるので、連写機能を実現することができる。
【００５４】
なお、本実施形態においては、インカメラ画像に笑顔が含まれることを、アウトカメラ部１１０で撮影処理を行うための条件とする例を用いて説明したが、これに限られるものではない。例えば、撮影者が一方の手で撮影装置１００を保持し、他方の手が所定の形状であること、例えば、大きく開いている状態であることを、アウトカメラ部１１０で撮影処理を行うための条件としてもよい。
【００５５】
また、本実施形態においては、インカメラ画像において所定の条件が満たされていること、あるいは、所定の条件が満たされていないことを撮影者に通知するために、ＬＥＤ部１０６を点灯または消灯する例を用いて説明したが、これに限られるものではない。表示部１０３に表示したり、レシーバー１０７から音声出力したりしてもよい。
【符号の説明】
【００５６】
１００    撮影装置
１０１    アンテナ
１０２    無線部
１０３    表示部
１０４    タッチパネル部
１０５    操作部
１０６    ＬＥＤ部
１０７    レシーバー
１０８    マイク
１０９    音声処理部
１１０    アウトカメラ部
１１１    インカメラ部
１１２    制御部
１１３    ＣＰＵ
１１４    メモリ
１１５    スマイル検出部
【図１】
2013110561.tif 000003
【図２】
2013110561.tif 000004
【図３】
2013110561.tif 000005
【図４】
2013110561.tif 000006